(57)【要約】【課題】製造誤差により発生するズームレンズのピント移動を簡便な構成で補正する。【解決手段】バリエータあるいはコンペンセータの移動鏡筒を位置決めするカムフォロアーの固定位置をズームカムの回転中心回りに可変する手段を持つ。【選択図】　　　　図１
2004012847.tif 000002
【特許請求の範囲】
【請求項１】
鏡筒の外側にバリエータとコンペンセータの位置関係を規制する円筒カムと前記バリエータとコンペンセータの鏡筒に前記カムと係合するカムフォロアーを備え、前記バリエータあるいはコンペンセータの少なくとも一方に前記カムフォロアーの固定位置を前記カムの略回転軸の回りに可変する手段を備えたことを特徴とするテレビレンズ。
【請求項２】
光軸方向から前記コロの移動調整手段を備えた特許請求項１記載のテレビレンズ。
【請求項３】
鏡筒の外側にバリエータとコンペンセータの位置関係を規制する円筒カムと前記バリエータとコンペンセータの鏡筒に前記カムと係合するカムフォロアーを備え、前記バリエータあるいはコンペンセータの少なくとも一方に前記カムフォロアーの固定位置を前記カムの回転軸と光軸を結ぶ線上に対し略垂直な軸方向に可変手段を備えたことを特徴とするテレビレンズ。
【請求項４】
光軸方向から前記コロの移動調整手段を備えた特許請求項２記載のテレビレンズ。
【発明の詳細な説明】
【０００１】
【発明の属する技術分野】
本発明はバリエータとコンペンセータの位置関係をカムにより規制するテレビレンズに関するものである。
【０００２】
【従来の技術】
図４は従来のテレビレンズの構成を表す図であり、１は鏡筒、２はフォーカス光学系、３は像の大きさを変えるバリエータ光学系、４は３のバリエータの移動によるピントズレを補正するコンペンセータ光学系、５は結像光学系である。６は３のバリエータ光学系を保持する移動鏡筒、７は円周上３ヵ所に設けられ１の鏡筒に同じく円周上３ヵ所に設けられた直線溝１５に係合するコロ、８はカム９のカム溝１０と係合する位置決めコロである。１１は４のコンペンセータ光学系を保持する移動鏡筒、１２は円周上３ヵ所に設けられ１の鏡筒に同じく円周上３ヵ所に設けられた直線溝１５に係合するコロ、１３はカム９のカム溝１４と係合する位置決めコロである。なお本図では、７と１２のコロが同じ直線溝１５に係合するよう図示したが、円周上角度位相を変えた別の直線溝の場合もある。
【０００３】
図５はバリエータの断面を表す図であり、鏡筒１には円周上３ヵ所の直線溝１５ａ，１５ｂ，１５ｃが設けられ７ａ，７ｂ，７ｃのコロが係合しておりこれにより、移動鏡筒６は光軸に沿って案内される。
【０００４】
また８の位置決めコロはカム９のカム溝１０に係合しており、カム９の回転によりカム溝１０の軌跡に沿って移動鏡筒６は光軸方向に移動する。
コンペンセータについても同様の機構であり、これによってバリエータ光学系とコンペンセータ光学系は所定の位置関係で光軸上を移動し、ズーム作用を実現する。
【０００５】
【発明が解決しようとする課題】
図６はカム９の展開図であり加工誤差を含まない理想的な状態である。
【０００６】
現実には、カム溝１０および１４を加工する際、図７のように角度位相のズレ（誤差）を生じる（図７）。この状態（図７）では、バリエータ光学系３とコンペンセータ４の位置関係を意図する状態にできず、ズーム時のピントが合わなくなる。
【０００７】
そこで従来は図８のように直線溝１５によって案内される移動鏡筒の軌跡に対してカム９の回転中心軸を傾けることで角度位相のズレを補正していた。
【０００８】
しかしながらこの方法では、バリエータ光学系３とコンペンセータ４の距離Ｌが変化するにしたがって、
１．補正量が変化するためズーム全域（バリエータ光学系３の移動距離全域）で完全な補正は不可能であった。また図９に示すようにカム溝１０に対してコロ８が正しく挿入されないため、滑らかに移動鏡筒６が作動せず
２．操作感が悪い、操作音が大きい。などの弊害もあり、
３．小さい量の補正量しか対応できなかった。
４．結果的にカム加工の精度出しやカム組の調整に工数がかかり製造コストが非常に掛かる部分となっていた。
【０００９】
また他の方法として、バリエータ用カムとコンペンセータ用カムを２体化し双方の相対角度を変更するようにしたものもあるが、構造が複雑で実用的ではなかった。
【００１０】
【課題を解決するための手段】
上記課題を解決するために本出願に係わる第１の発明は、バリエータとコンペンセータの位置関係を規制するカムと前記バリエータとコンペンセータの鏡筒に前記カムと係合するカムフォロアーを備え、前記バリエータあるいはコンペンセータの少なくとも一方に前記カムフォロアーの固定位置を前記カムの略回転軸の回りに可変する手段を備えたことにより、ズーム全域でバリエータとコンペンセータのカム溝間に発生した角度位相ズレを補正でき、調整後の操作感が良く操作音の小さなレンズを実現している。
【００１１】
本出願に係る第２の発明は、光軸方向から前記カムフォロアーの固定位置可変手段を備えたことで調整を容易にしている。
【００１２】
本出願に係る第３の発明は第１の発明とほぼ同等の効果を安価に実現するとともに、カムの回転軸と光軸を結ぶ線上に対し略直交軸方向に発生するバリエータ位置決めカムフォロアーの軌跡とコンペンセータ位置決めカムフォロアー軌跡のズレを補正可能としている。
【００１３】
本出願に係る第４の発明は、光軸方向から前記カムフォロアーの移動調整手段を備えたことで調整を容易にしている。
【００１４】
【発明の実施の形態】
（第１の実施例）
図１は本発明の特徴を表す図であり、２１は鏡筒、２はフォーカース光学系、３は像の大きさを変えるバリエータ光学系、４は３のバリエータの移動によるピントズレを補正するコンペンセータ光学系、５は結像光学系である。
【００１５】
１６は３のバリエータ光学系を保持する移動鏡筒、７は円周上３ヵ所に設けられ２１の鏡筒に同じく円周上３ヵ所に設けられた直線溝１５に係合するコロ、１７はカム９のカム溝１０と係合する位置決めコロ、１８はコロ１７を保持しカム９の回転軸回りに移動可能なコロ保持部材でありビス１９により移動鏡筒１６に固定されている。１１は４のコンペンセータ光学系を保持する移動鏡筒、１２は円周上３ヵ所に設けられ２１の鏡筒に同じく円周上３ヵ所に設けられた直線溝１５に係合するコロ、１３はカム９のカム溝１４と係合する位置決めコロである。なお本図では、７と１２のコロが同じ直線溝１５に係合するよう図示したが、円周上角度位相を変えた別の直線溝の場合もある。
【００１６】
図２はバリエータの詳細を表す断面図であり、２０はカム９の回転中心軸回りに位置決めコロ保持部材１８を案内する案内面である。
【００１７】
上記構においてビス１９を緩め、案内面２０に沿ってコロ保持部材１８を移動し再びビス１９により固定することで図３の如く位置決めコロ１７をカム９の回転中心軸回りに移動可能となる。これによって図７で図示したバリエータとコンペンセータのカム溝間の位相ズレを補正できるため、
１．ズーム全域（バリエータ光学系３の移動距離全域）で完全な補正が可能。となり、カム溝１０に対してコロ１７が正しく挿入されるため、鏡筒６の滑らかな移動が可能となり、
２．操作感が良い、操作音が小さい。よって、
３．補正量が大きくできる。
４．結果的にカム加工の精度出しやカム組の調整工数を削減でき製造コストを抑えることができる。
【００１８】
（第２の実施例）
図１０、１１、１２は本発明第２の実施例を表す図であり、コロ保持部材２３をカム９の回転軸と光軸を結ぶ線上に対し略垂直な軸方向に移動するための案内面２４を設け、コロ１７をカム９の回転軸と光軸を結ぶ線上に対し略垂直な軸方向に移動可能とすることで、第１の実施例とほぼ同等の効果が得られるだけでなく、図１３のようにバリエータ位置決めコロ１７とコンペンセータ位置決めコロ１３の軌跡に、製造上の誤差等の影響で図示方向のズレが発生した場合、このズレを補正することができる。
【００１９】
なお第１、第２の実施例、説明のためバリエータについて図示したが、コンペンセータに適用しても同様の効果が得られる。
【００２０】
【発明の効果】
以上説明したように本発明第１の実施例によれば、
１．ズーム全域でバリエータとコンペンセータのカム溝間の角度位相ズレを補正できる。
２．調整後の操作感が良い、操作音が小さい。
３．大きな角度位相のズレを補正できる。
４．カム加工の精度出しやカム組の調整工数を削減でき製造コストをできる。
などの効果がある。
【００２１】
また本発明第２の実施例によれば、第１の実施例とほぼ同等の効果を　より安価に実現できる。またカムの回転軸と光軸を結ぶ線上に対し略直交軸方向に発生した、バリエータ位置決めコロの軌跡とコンペンセータ位置決めコロの軌跡のズレを補正することができる。
【図面の簡単な説明】
【図１】本発明第１の実施例を表す図
【図２】バリエータの詳細を表す断面図
【図３】バリエータの詳細を表す断面図
【図４】従来例を表す図
【図５】バリエータの断面を表す図
【図６】カムの展開図
【図７】位相ズレを持つカムの展開図
【図８】従来の補正方法を表す図
【図９】従来の補正方法を表す図
【図１０】本発明第２の実施例を表す図
【図１１】本発明第２の実施例を表す図
【図１２】本発明第２の実施例を表す図
【図１３】本発明第２の実施例の補正方向を表す図
【符号の説明】
１・・・鏡筒
２・・・フォーカス光学系
３・・・バリエータ光学系
４・・・コンペンセータ光学系
５・・・結像光学系
６・・・移動鏡筒
７・・・コロ
８・・・位置決めコロ
９・・・カム
１０・・・カム溝
１１・・・移動鏡筒
１２・・・コロ
１３・・・位置決めコロ
１４・・・カム溝
１５・・・直線溝
１６・・・移動鏡筒
１７・・・位置決めコロ
１８・・・コロ保持部材
１９・・・ビス
２０・・・案内面
２１・・・鏡筒
２２・・・移動鏡筒
２３・・・コロ保持部材
２４・・・案内面
【図１】
2004012847.tif 000003
【図２】
2004012847.tif 000004
【図３】
2004012847.tif 000005
【図４】
2004012847.tif 000006
【図５】
2004012847.tif 000007
【図６】
2004012847.tif 000008
【図７】
2004012847.tif 000009
【図８】
2004012847.tif 000010
【図９】
2004012847.tif 000011
【図１０】
2004012847.tif 000012
【図１１】
2004012847.tif 000013
【図１２】
2004012847.tif 000014
【図１３】
2004012847.tif 000015